(57)【要約】【課題】箱本体から端子金具の電線接続部及び該電線接続部に取り付けられる電線が突出することを防止して、小型化を図ることができる電気接続箱を提供する。【解決手段】電気接続箱１は箱本体２と端子金具３とサイドカバー４を備えている。箱本体２は上面２ａに設けられた端子取付部９と外壁面１３ａから凹の凹溝１４を備えている。端子金具３は電気接触部１１と電線接続部１５を備えている。電気接触部１１は端子取付部９に取り付けられる。電線接続部１５は電線１８を取り付ける。箱本体２は凹溝１４内に電線接続部１５と電線１８を収容して端子金具３を端子取付部９に取り付ける。このとき電気接触部１１の長手方向と外壁面１３ａとが平行となる。サイドカバー４が凹溝１４を塞いだ格好で箱本体２に取り付けられる。【選択図】図１
2006149077.tif 000002
【特許請求の範囲】
【請求項１】
表面に電気部品を装着する装着部を設けた箱本体と、
前記表面に取り付けられる電気接触部と、前記電気接触部から立設しているとともに電線が取り付けられる電線接続部とを備えた端子金具と、を備えた電気接続箱において、
前記箱本体の外壁面から凹でかつ前記端子金具の電線接続部を収容する凹溝を備え、
前記端子金具の電気接触部の長手方向と、前記凹溝が設けられた外壁面とが平行な状態で、前記電気接触部を前記表面に取り付け、前記電線接続部を前記凹溝内に収容することを特徴とする電気接続箱。
【請求項２】
前記箱本体に着脱自在で且つ前記箱本体に取り付けられると前記凹溝を塞ぐサイドカバーを備えたことを特徴とする請求項１記載の電気接続箱。
【請求項３】
前記サイドカバーは、
前記箱本体に取り付けられると前記凹溝を塞ぐ本体部と、
前記本体部から前記凹溝の内側に向かって立設するとともに、一方の表面と前記凹溝の内面との間に前記端子金具の電線接続部を収容する仕切壁と、を備えたことを特徴とする請求項２記載の電気接続箱。
【請求項４】
前記仕切壁の他方の表面と前記凹溝の内面との間に、前記装着部に端部が取り付けられる電線を収容することを特徴とする請求項３記載の電気接続箱。
【請求項５】
前記仕切壁の前記本体部から離れた側の先端に係合部を設け、
前記凹溝の内面に前記係合部が係合する係合受け部を設けたことを特徴とする請求項３又は請求項４記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱と呼ぶ。
【０００５】
電気接続箱は、外郭を形成する箱本体と、端子金具と、を備えている。箱本体の例えば上面には、前述したリレー、ヒューズやヒュージブルリンクなどの電気部品が装着される装着部が複数設けられている。また、箱本体の例えば下面には、前述した自動車に配索されるワイヤハーネスのコネクタが嵌合する。
【０００６】
ワイヤハーネスは、複数の電線と、該電線の端部などに取り付けられたコネクタとを備えている。コネクタは、前述した自動車に搭載される各種の電子機器や前述した箱本体に嵌合する。さらに、箱本体は、前述した装着部に装着される各種の電気部品と、ワイヤハーネスのコネクタの端子とを予め定められたパターンにしたがって接続するバスバなどを収容している。
【０００７】
端子金具は、厚手の導電性の板金からなり、平板状の電気接触部と、電線接続部とを一体に備えている。電気接触部には、ボルトのねじ部を通すことのできる孔又は切欠きが設けられている。電気接触部は、孔又は切欠き内にねじ部が通るボルトが箱本体の上面にねじ込まれるなどして、前述した箱本体に取り付けられる。
【０００８】
電線接続部は、前述した電気接触部から折り曲げられて、該電気接触部から立設している。電線接続部は、電源などと接続した電線を加締めるかしめ片などを備えている。電線接続部は、加締め片で電線を加締めて、該電線の芯線と接続する。
【０００９】
前述した電気接続箱は、電線が取り付けられた端子金具の電気接触部をボルトにより、前述した箱本体の上面に取り付ける。なお、このとき、端子金具の電線接続部及び該電線接続部に取り付けられた電線を、前記箱本体内に収容することなく該箱本体の外壁面に沿わしておく。
【００１０】
そして、各装着部に所望の電気部品を装着し、ワイヤハーネスのコネクタを箱本体の下面に嵌合する。こうして、前述した電気接続箱が組み立てられる。そして、電気接続箱は、電源などから供給される電源からの電力を、ヒュージブルリンク、ワイヤハーネスの電線などを介して前述した電子機器に供給する。
【発明の開示】
【発明が解決しようとする課題】
【００１１】
前述した従来の電気接続箱は、箱本体内に電線及び端子金具の電線接続部を収容することなく、これらを箱本体の外壁面に沿わしておく。このため、従来の電気接続箱は、箱本体から端子金具の電線接続部が突出して、大型化する傾向であった。
【００１２】
したがって、本発明の目的は、箱本体から端子金具の電線接続部及び該電線接続部に取り付けられる電線が突出することを防止して、小型化を図ることができる電気接続箱を提供することにある。
【課題を解決するための手段】
【００１３】
前記課題を解決し目的を達成するために、請求項１に記載の本発明の電気接続箱は、表面に電気部品を装着する装着部を設けた箱本体と、前記表面に取り付けられる電気接触部と、前記電気接触部から立設しているとともに電線が取り付けられる電線接続部とを備えた端子金具と、を備えた電気接続箱において、前記箱本体の外壁面から凹でかつ前記端子金具の電線接続部を収容する凹溝を備え、前記端子金具の電気接触部の長手方向と、前記凹溝が設けられた外壁面とが平行な状態で、前記電気接触部を前記表面に取り付け、前記電線接続部を前記凹溝内に収容することを特徴としている。
【００１４】
請求項２に記載の本発明の電気接続箱は、請求項１記載の電気接続箱において、前記箱本体に着脱自在で且つ前記箱本体に取り付けられると前記凹溝を塞ぐサイドカバーを備えたことを特徴としている。
【００１５】
請求項３に記載の本発明の電気接続箱は、請求項２記載の電気接続箱において、前記サイドカバーは、前記箱本体に取り付けられると前記凹溝を塞ぐ本体部と、前記本体部から前記凹溝の内側に向かって立設するとともに、一方の表面と前記凹溝の内面との間に前記端子金具の電線接続部を収容する仕切壁と、を備えたことを特徴としている。
【００１６】
請求項４に記載の本発明の電気接続箱は、請求項３に記載の電気接続箱において、前記仕切壁の他方の表面と前記凹溝の内面との間に、前記装着部に端部が取り付けられる電線を収容することを特徴としている。
【００１７】
請求項５に記載の本発明の電気接続箱は、請求項３又は請求項４に記載の電気接続箱において、前記仕切壁の前記本体部から離れた側の先端に係合部を設け、前記凹溝の内面に前記係合部が係合する係合受け部を設けたことを特徴としている。
【００１８】
請求項１に記載した本発明の電気接続箱によれば、端子金具の電線接続部を凹溝内に収容するので、電線接続部と該電線接続部に取り付けられる電線を凹溝内に収容しておくこととなり、これらが箱本体の外側に突出することを防止できる。
【００１９】
請求項２に記載した本発明の電気接続箱によれば、凹溝を塞ぐサイドカバーを設けたので、凹溝内の電線接続部と該電線接続部に取り付けられる電線に異物が接触することを防止できるとともに、箱本体の剛性を高めることができる。
【００２０】
請求項３に記載した本発明の電気接続箱によれば、サイドカバーが仕切壁を備えているので、サイドカバー自体則ち箱本体の剛性をより高めることができる。さらに、仕切壁の一方の表面と凹溝の内面とに間に電線接続部と該電線接続部に取り付けられる電線とを収容するので、これらを凹溝内で位置決めできる。
【００２１】
請求項４に記載した本発明の電気接続箱によれば、仕切壁の他方の表面と凹溝の内面との間に装着部に取り付けられる電線を収容する。このため、凹溝内に収容する電線同士が接触することを防止できる。
【００２２】
請求項５に記載した本発明の電気接続箱によれば、仕切壁の先端に設けられた係合部と凹溝の内面に設けられた係合受け部とが互いに係合する。このため、仕切壁が凹溝内で不意に移動することを防止できるとともに、箱本体の剛性をより高めることができる。
【発明の効果】
【００２３】
以上説明したように請求項１に記載の本発明は、電線接続部と該電線接続部に取り付けられる電線が箱本体の外側に突出することを防止できる。したがって、小型化を図ることができる。
【００２４】
請求項２に記載の本発明は、凹溝内の電線に異物が接触することを防止できるとともに、凹溝内から電線が抜け出ることを防止できる。したがって、凹溝内の電線が不意に破損することを防止できる。また、サイドカバーが凹溝を塞ぐので箱本体の剛性を高めることができる。
【００２５】
請求項３に記載の本発明は、サイドカバー自体則ち箱本体の剛性をより高めることができる。さらに、電線接続部と該電線接続部に取り付けられる電線とを凹溝内で位置決めできる。
【００２６】
請求項４に記載の本発明は、凹溝内に収容する電線同士が接触することを防止できる。このため、これらの電線が不意に破損することを確実に防止できる。
【００２７】
請求項５に記載の本発明は、仕切壁が凹溝内で不意に移動することを防止できるとともに、仕切壁が凹溝内で不意に移動しにくくなるので箱本体の剛性をより高めることができる。
【発明を実施するための最良の形態】
【００２８】
以下、本発明の一実施形態にかかる電気接続箱を、図１ないし図５に基づいて説明する。本実施形態にかかる図１に示す電気接続箱１は、移動体としての自動車に搭載される。
【００２９】
電気接続箱１は、図１に示すように、箱本体２と、図示しない配線盤と、端子金具３と、サイドカバー４などを備えている。箱本体２は、絶縁性の合成樹脂からなり、周知の射出成形により成形される。箱本体２は、複数の外壁１３により、筒状（箱状）に形成されている。
【００３０】
また、箱本体２の図１の手前側に位置する上面（表面に相当する）２ａには、リレー５及びヒュージブルリンク６などの電気部品が装着されるとともに電気部品としてのコネクタ７が嵌合する装着部８ａ，８ｂと、端子取付部９とが設けられている。端子取付部９には、ボルト１０と螺合する図示しないナットが埋設されている。端子取付部９は、上面２ａ上に端子金具３の後述する電気接触部１１（図２に示す）が重ねられ、かつボルト１０が電気接触部１１に設けられた後述する孔１２内を通ってナットに螺合することで、端子金具３を取り付ける。
【００３１】
また、箱本体２の図１の奥側に位置する図示しない下面には、前述した自動車に配索されるワイヤハーネスのコネクタが嵌合する。ワイヤハーネスのコネクタは、前述した自動車に搭載される各種の電子機器や、前述した箱本体２に嵌合する。
【００３２】
さらに、箱本体２には、図１、図４及び図５に示すように、一つの外壁１３の表面（以下、外壁面と呼ぶ）１３ａから凹の凹溝１４が設けられている。則ち、電気接続箱１は、凹溝１４を備えている。凹溝１４は、前述した上面２ａと下面とが互いに相対する方向に沿って、直線状に伸びている。
【００３３】
また、前述した上面２ａと下面とが互いに相対する方向に対し直交する方向に沿って、互いに相対する凹溝１４の内縁部１４ａには、前述した上面２ａと下面とが互いに相対する方向に沿って直線状に伸びたスライド溝２１が設けられている。スライド溝２１は、内縁部１４ａから凹溝１４の幅方向に沿って凹に形成されている。コネクタ７が嵌合する装着部８ｂと、端子取付部９とは、前述した凹溝１４の近傍に設けられている。
【００３４】
配線盤は、導電性のバスバと、絶縁板などを備えている。バスバは、導電性の板金に打ち抜き加工などのプレス加工が施されて得られる。バスバは、複数設けられている。複数のバスバは、互いに重ねられている。絶縁板は、互いに重ねられたバスバ間などに配され、バスバ同士が意図しない箇所で相互に電気的に接続すること則ち短絡することを防止するとともに、バスバを位置決めしている。
【００３５】
配線盤は、箱本体２内に収容されると、バスバがワイヤハーネスのコネクタと、装着部８ａに装着されたリレー５及びヒュージブルリンク６などの電気部品と、装着部８ｂに嵌合したコネクタ７と、端子取付部９に取り付けられた端子金具３と、を予め定められたパターンにしたがって、互いに電気的に接続する。
【００３６】
端子金具３は、厚手の板金が折り曲げられるなどして得られる。端子金具３は、図２に示すように、平板状の電気接触部１１と、電線接続部１５とを一体に備えている。電気接触部１１の平面形状は、矩形状である。電気接触部１１には、前述したボルト１０のねじ部を通すことのできる孔１２が貫通している。
【００３７】
電線接続部１５は、底板部１６と、複数のかしめ片１７とを備えている。底板部１６は、電気接触部１１から折り曲げられて、該電気接触部１１から立設している。なお、図示例では、底板部１６と電気接触部１１とのなす角度は、略９０度である。電線接続部１５は、底板部１６を備えていることで、電気接触部１１から立設している。
【００３８】
かしめ片１７は、底板部１６の幅方向の両縁に連なっている。かしめ片１７は、底板部１６に近づく方向に曲げられて、該底板部１６との間に電線１８を挟む。こうして、かしめ片１７は、電線１８を加締める。電線接続部１５は、かしめ片１７が電線１８を加締めることで、該電線１８が取り付けられるとともに、電線１８と電気的に接続される。
【００３９】
前述した端子金具３は、図４及び図５に示すように、電線接続部１５に電線１８が取り付けられた状態で、電線接続部１５及び電線１８が凹溝１４内に収容されて、電気接触部１１が端子取付部９に取り付けられる。このとき、電気接触部１１は、端子取付部９に重ねられ、孔１２内にねじ部が通されたボルト１０がナットに螺合することで、端子取付部９則ち上面２ａに取り付けられる。また、電気接触部１１の長手方向は、前述した凹溝１４が設けられた外壁１３の外壁面１３ａと平行となる。また、端子金具３に取り付けられる電線１８は、図示例では、バッテリなどの電源に接続する。
【００４０】
サイドカバー４は、絶縁性の合成樹脂からなり、周知の射出成形により成形される。サイドカバー４は、図３ないし図５に示すように、平板状の本体部１９と、仕切壁２０とを一体に備えている。本体部１９は、平面形状が前述した凹溝１４の平面形状と略等しい矩形状に形成されている。本体部１９は、幅方向の両縁が前述したスライド溝２１内に挿入されて、箱本体２に取り付けられる。
【００４１】
本体部１９則ちサイドカバー４は、箱本体２に取り付けられると、前述した凹溝１４が設けられた外壁１３の外壁面１３ａと略面一になるとともに、前述した凹溝１４の外壁１３における開口を塞ぐ。こうして、本体部１９則ちサイドカバー４は、箱本体２に取り付けられると、前述した凹溝１４を塞ぐ。また、本体部１９則ちサイドカバー４は、箱本体２に取り付けられると、前述した凹溝１４の前述した上面２ａ及び下面側の開口を塞がない（開放する）。
【００４２】
仕切壁２０は、本体部１９から凹溝１４の内面に向かって立設しているとともに、前述した箱本体２の上面２ａと下面とが互いに相対する方向に沿って、直線状に延びている。仕切壁２０は、本体部１９の幅方向の中央に設けられている。仕切壁２０は、図１に示すように、凹溝１４内を、第１の空間２２と第２の空間２３とに仕切る。第１の空間２２と第２の空間２３は、それぞれ、前述した箱本体２の上面２ａと下面とが互いに相対する方向に沿って、直線状に延びている。
【００４３】
また、前述したサイドカバー４は、複数の結束バンド２４を備えている。結束バンド２４は、本体部１９則ちサイドカバー４の長手方向に沿って、互いに間隔をあけて配されている。結束バンド２４は、少なくとも一端が前述した本体部１９と仕切壁２０とのうち一方に連なっている。結束バンド２４は、本体部１９則ちサイドカバー４に前述した装着部８ｂに嵌合するコネクタ７が端部に取り付けられた電線２５を結束する。結束バンド２４は、前述したコネクタ７が端部に取り付けられた電線２５を前述した第２の空間２３に位置決めする。なお、電線２５は、コネクタ７が装着部８ｂに嵌合することで、該コネクタ７が取り付けられた端部が装着部８ｂに取り付けられる。
【００４４】
前述した電気接続箱１は、以下のように組み立てられる。まず、箱本体２内に配線盤を収容し、箱本体２の上面２ａに設けられた装着部８ａにヒュージブルリンク６やリレー５などの電気部品が装着される。そして、凹溝１４内に端子金具３が取り付けられた電線１８を収容し、該端子金具３の電気接触部１１の長手方向を凹溝１４が設けられた外壁１３の外壁面１３ａと平行にし、電気接触部１１を端子取付部９に重ねる。そして、孔１２内にねじ部を通して、ボルト１０を端子取付部９のナットに螺合する。こうして、端子金具３を端子取付部９に固定する。すると、凹溝１４内に電線１８と端子金具３の電線接続部１５とを収容する。
【００４５】
そして、結束バンド２４でサイドカバー４に端部にコネクタ７が取り付けられた電線２５を結束する。そして、サイドカバー４の幅方向の両縁をスライド溝２１内に挿入して、サイドカバー４を箱本体２に取り付ける。すると、サイドカバー４が凹溝１４を塞ぐ。こうして、前述した構成の電気接続箱１が組み立てられる。そして、電気接続箱１は、箱本体２の下面にワイヤハーネスのコネクタを嵌合するなどして、自動車に搭載される。そして、電気接続箱１は、自動車の電子機器と、ヒュージブルリンク６やリレー５などの電気部品などとを、予め定められたパターンにしたがって、互いに電気的に接続する。
【００４６】
本実施形態によれば、端子金具３の電線接続部１５を凹溝１４内に収容するので、電線接続部１５と該電線接続部１５に取り付けられる電線１８を凹溝１４内に収容しておくこととなり、これらが箱本体２の外側に突出することを防止できる。したがって、箱本体２則ち電気接続箱１の小型化を図ることができる。
【００４７】
凹溝１４を塞ぐサイドカバー４を備えているので、凹溝１４内の電線接続部１５と該電線接続部１５に取り付けられる電線１８に異物が接触することを防止できるとともに、凹溝１４内から電線１８が抜け出ることを防止できる。したがって、凹溝１４内の電線１８が不意に破損することを防止できる。また、サイドカバー４が凹溝１４を塞ぐので箱本体２の剛性を高めることができる。
【００４８】
サイドカバー４が仕切壁２０を備えているので、サイドカバー４自体則ち箱本体２の剛性をより高めることができる。さらに、仕切壁２０の一方の表面２０ａと凹溝１４の内面との間則ち第１の空間２２内に電線接続部１５と該電線接続部１５に取り付けられた電線１８とを収容するので、これらを凹溝１４内で位置決めできる。
【００４９】
装着部８ｂに端部が取り付けられる電線２５を仕切壁２０の他方の表面２０ｂと凹溝１４の内面との間則ち第２の空間２３内に収容する。このため、凹溝１４内に収容する電線１８，２５同士が接触することを防止できる。したがって、これらの電線１８，２５が不意に破損することを確実に防止できる。
【００５０】
本発明では、図６ないし図８に示すように、仕切壁２０に係合部としての係合フランジ２６を設け、凹溝１４の内面に係合受け部としての係合受けフランジ２７を設けても良い。係合フランジ２６は、仕切壁２０の本体部１９から離れた側の先端に設けられている。係合フランジ２６は、仕切壁２０から本体部１９則ちサイドカバー４の幅方向に沿って、該仕切壁２０の外方向に突出している。係合フランジ２６は、前述した上面２ａと下面とが相対する方向則ち本体部１９の長手方向に沿って、直線状に延びている。
【００５１】
係合受けフランジ２７は、凹溝１４の外壁１３の外壁面１３ａと平行な内面（以下、奥面という）１４ｂに、一対設けられている。係合受けフランジ２７は、前述した奥面１４ｂから箱本体２の外側に向かって延びた立設部２８と、延在部２９とを備えている。立設部２８は、サイドカバー４の幅方向に沿って、互いに間隔をあけて配されている。延在部２９は、立設部２８から該立設部２８が互いに近づく方向に延びている。
【００５２】
前述した立設部２８と延在部２９とを備えた係合受けフランジ２７は、前述した上面２ａと下面とが相対する方向に沿って、直線状に延びている。一対の係合受けフランジ２７の立設部２８は、互いの間に係合フランジ２６を位置付ける。一対の係合受けフランジ２７の延在部２９は、互いの間に仕切壁２０を位置付ける。一対の係合受けフランジ２７の延在部２９は、奥面１４ｂとの間に係合フランジ２６を位置付ける。
【００５３】
係合フランジ２６と係合受けフランジ２７は、係合フランジ２６が立設部２８間でかつ奥面１４ｂと延在部２９との間に位置付けられ、仕切壁２０が延在部２９間に位置付けられて、互いに係合する。
【００５４】
図６ないし図８に示す電気接続箱１によれば、仕切壁２０の先端に設けられた係合フランジ２６と凹溝１４の奥面１４ｂに設けられた係合受けフランジ２７とが互いに係合する。このため、仕切壁２０が凹溝１４内で不意に移動することを防止できるとともに、仕切壁２０が凹溝１４内で不意に移動しにくくなるので箱本体２の剛性をより高めることができる。
【００５５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５６】
【図１】本発明の一実施形態に係る電気接続箱の平面図である。
【図２】図１に示された電気接続箱の電線付きの端子金具を示す斜視図である。
【図３】図１に示された電気接続箱のサイドカバーを示す斜視図である。
【図４】図１に示された電気接続箱の箱本体とサイドカバーを示す斜視図である。
【図５】図１に示された電気接続箱の箱本体とサイドカバーを示す他の斜視図である。
【図６】図１に示された電気接続箱の変形例を示す平面図である。
【図７】図６に示された電気接続箱の変形例の要部を示す斜視図である。
【図８】図７に示された電気接続箱の係合フランジと係合受けフランジとが互いに係合した状態を示す斜視図である。
【符号の説明】
【００５７】
１  電気接続箱
２  箱本体
２ａ  上面（表面）
３  端子金具
４  サイドカバー
５  リレー（電気部品）
６  ヒュージブルリンク（電気部品）
７  コネクタ（電気部品）
８ａ，８ｂ  装着部
１０  ボルト
１１  電気接触部
１３ａ  外壁面
１４  凹溝
１５  電線接続部
１９  本体部
２０  仕切壁
２０ａ  一方の表面
２０ｂ  他方の表面
２５  電線
２６  係合フランジ（係合部）
２７  係合受けフランジ（係合受け部）
【図１】
2006149077.tif 000003
【図２】
2006149077.tif 000004
【図３】
2006149077.tif 000005
【図４】
2006149077.tif 000006
【図５】
2006149077.tif 000007
【図６】
2006149077.tif 000008
【図７】
2006149077.tif 000009
【図８】
2006149077.tif 000010